(57)【要約】【課題】  縦断層像上での水平断層像の位置を直感的かつ正確に知ることができるＸ線ＣＴ装置を提供する。【解決手段】  水平面と平行であり、かつ、その直交する方向に微小間隔をあけて連続した複数の水平断層像を得て、これらの水平断層像を元に、そのいずれかの水平断層像を表示器２３に水平断層画像Ａとして画像表示させる。次に、水平断層画像Ａ上で、水平断層像に垂直に被検査物Ｗを切断したときの縦断層像を表示器２３に縦断層画像Ｂ、Ｃとして再構成して画像表示させる。このとき、水平直線画像表示制御部３１は、縦断層画像Ｂ、Ｃ中に水平断層像の位置を示す水平直線画像ｄ、ｅを重畳して画像表示する。【選択図】図２
2008304422.tif 000002
【特許請求の範囲】
【請求項１】
被検査物の透視Ｘ線像を撮影するＸ線検出器と当該Ｘ線検出器に向けて透視用Ｘ線を照射するＸ線源とを有するＸ線測定光学系と、
Ｘ線源とＸ線検出器との間に配置され、前記被検査物を載置するための水平面を有するとともに、当該水平面に直交する回転軸を中心として回転移動が可能なターンテーブルと、
前記ターンテーブルを回転移動させつつ被検査物の透視Ｘ線像を撮影することにより、前記被検査物のＸ線透過データを記憶部に記憶させるＣＴ撮影を実行するＣＴ撮影実行部と、
前記記憶部に記憶されたＸ線透過データを用いて、前記水平面と平行な複数の水平断層像を再構成して、前記被検査物のＣＴ断層像データを記憶部に記憶させる再構成処理演算部と、
画像表示が行われる表示器と、
前記記憶部に記憶されたＣＴ断層像データを用いて、前記水平面と平行な被検査物の水平断層像を水平断層画像として表示器に画像表示する水平断層像表示制御部と、
前記記憶部に記憶されたＣＴ断層像データを用いて、前記水平断層像と垂直な縦断層像を縦断層画像として表示器に画像表示する縦断層像表示制御部とを備えるＸ線ＣＴ装置であって、
前記縦断層画像中に水平断層像の位置を示す水平直線画像を重畳して画像表示する水平直線画像表示制御部を備えることを特徴とするＸ線ＣＴ装置。
【請求項２】
前記縦断層像表示制御部は、前記水平断層像と垂直な複数の縦断層像を縦断層画像として画像表示し、
前記水平直線画像表示制御部は、全ての縦断層画像中に水平断層像の位置を示す水平直線画像を重畳して画像表示することを特徴とする請求項１に記載のＸ線ＣＴ装置。
【請求項３】
前記縦断層画像中に画像表示された水平直線画像の位置を変更するために入力操作される入力装置を備え、
前記水平断層像表示制御部は、さらに、前記縦断層画像中に画像表示された水平直線画像の位置が変更されることにより、前記水平直線画像の位置の変更に連動して更新するように、前記水平直線画像の位置に対応する水平断層像を水平断層画像として画像表示することを特徴とする請求項１又は２に記載のＸ線ＣＴ装置。
【請求項４】
前記水平断層画像中に縦断層像の位置を示す縦直線画像を重畳して画像表示する縦直線画像表示制御部を備え、
前記入力装置は、さらに、前記水平断層画像中に画像表示された縦直線画像の位置を変更するために入力操作され、
前記縦断層像表示制御部は、さらに、前記水平断層画像中に画像表示された縦直線画像の位置が変更されることにより、前記縦直線画像の位置の変更に連動して更新するように、前記縦直線画像の位置に対応する縦断層像を縦断層画像として画像表示することを特徴とする請求項１〜３のいずれか１項に記載のＸ線ＣＴ装置。
【発明の詳細な説明】
【技術分野】
【０００１】
本発明は、Ｘ線ＣＴ装置に関し、電子部品等の工業製品の内部欠陥や内部構造等を非破壊のもとに検査すべく、その断層画像を得るための産業用のＸ線ＣＴ装置に関する。
【背景技術】
【０００２】
産業用のＸ線ＣＴ装置においては、一般に、Ｘ線源とＸ線検出器との間で被検査物をＸ線光軸に直交する回転軸を中心として３６０°回転させつつ透視用Ｘ線を照射し、微小回転角度ごとに被検査物のＸ線透過データを収集する。そして、その収集したＸ線透過データをコンピュータによって再構成処理することにより、被検査物のＣＴ像、すなわち回転軸に直交する水平面となる断層像（以下、「水平断層像」ともいう）を得る。
【０００３】
このとき、操作者は、被検査物で検査したい部位に応じて、被検査物中の水平断層像を得る位置を選択することになるが、被検査物の内部に縦方向に広がる欠陥を検査する場合、水平面と平行な１枚の水平断層像だけでなく、水平面と平行であり、かつ、その直交する方向に微小間隔をあけて連続した複数の水平断層像を得て、これらの水平断層像を元に被検査物の内部を３次元的に観察する方法が多用されている。
【０００４】
さらに、被検査物の内部を３次元的に詳しく観察する手法として、まず、複数の水平断層像を元に、そのいずれかの水平断層像を表示器に画像表示させ、次に、その画像表示された水平断層画像上で操作者が位置を指定することにより、水平断層像に垂直で、かつ、指定された位置で被検査物を切断したときの断層像（以下、「縦断層像」ともいう）を再構成させて表示器に画像表示させることが知られている（例えば、特許文献１参照）。なお、このような機能は、任意断面再構成（ＭＰＲ：Multi Planar Reconstruction ）機能等と称されている。
【０００５】
さらに、このようにして再構成され画像表示された縦断層画像上で操作者が位置を指定することにより、縦断層像に垂直で、かつ、指定された位置で被検査物を切断したときの断層像（以下、「ＷＯ断層像」ともいう）を再構成させて表示器に画像表示させる機能を備えたものも知られている（例えば、特許文献２参照）。なお、このような機能は、ダブルオブリーク機能等と称されている。
【０００６】
ここで、ダブルオブリーク機能を備えたＸ線ＣＴ装置により画像表示されるモニタ画像について説明する。図４は、ダブルオブリーク機能を備えたＸ線ＣＴ装置により画像表示されたモニタ画像の一例である。なお、図４は、図３の外観斜視図に示すマイクロタービンＷをＸ線ＣＴ装置により画像表示したものである。
まず、水平面と平行であり、かつ、その直交する方向に微小間隔をあけて連続した複数の水平断層像を得て、これらの水平断層像を元に、そのいずれかの水平断層像をモニタ画面の左上部に水平断層画像Ａとして画像表示させる。このとき、水平断層像として複数の水平断層像の内から１枚が選択されるが、どの１枚が選択されるかは、各水平断層像に対して一つの番号（以下、「スライス位置番号」ともいう）となるように順番（例えば、一番下の水平断層像を１とするとともに、一番上の水平断層像を５１２とする）にスライス位置番号を付与することにより、操作者が、あるスライス位置番号をモニタ画面の最下部に画像表示されているスライス位置番号と対応させたスライス位置番号変更スライドバーＥを用いて指定することで決定される。
【０００７】
次に、水平断層画像Ａ上で、直交した２本の縦直線画像（所謂、オブリークライン）ａ、ｂを表示させることにより、２本のオブリークラインａ、ｂが示す位置で、かつ、水平断層像に垂直にマイクロタービンＷを切断したときの２枚の縦断層像をモニタ画面の右上部と左下部とにそれぞれ縦断層画像（所謂、オブリーク画像）Ｂ、Ｃとして画像表示させる。このとき、操作者は、画像表示させる２枚の縦断層像として水平断層画像Ａ上で任意の位置を選択することができ、水平断層画像Ａ上で、直交した２本のオブリークラインａ、ｂを画像表示させる位置を変更することにより、オブリークラインａ、ｂの位置の変更に連動して更新するように、オブリークラインａ、ｂの位置に対応する縦断層像をオブリーク画像Ｂ、Ｃとして画像表示させることができる。
【０００８】
さらに、オブリーク画像Ｂ、Ｃ上で、水平面と平行でないＷＯ直線画像（所謂、ダブルオブリークライン）ｃを表示させることにより、ダブルオブリークラインｃが示す位置で、かつ、縦断層像に垂直にマイクロタービンＷを切断したときのＷＯ断層像をモニタ画面の右下部にＷＯ断層画像（所謂、ダブルオブリーク画像）Ｄとして画像表示させる。このとき、操作者は、画像表示させるダブルオブリーク画像Ｄとしてオブリーク画像Ｂ、Ｃ上で任意の位置を選択することができ、オブリーク画像Ｂ又はオブリーク画像Ｃ上で、ダブルオブリークラインｃを画像表示させる位置を変更することにより、ダブルオブリークラインｃの位置の変更に連動して更新するように、ダブルオブリークラインｃの位置に対応するＷＯ断層像をダブルオブリーク画像Ｄとして画像表示させることができる。
このように、操作者は、各断層画像Ａ、Ｂ、Ｃ上で、所望する位置のマイクロタービンＷの断層像に対応する位置にオブリークラインａ、ｂやダブルオブリークラインｃを画像表示させることにより、所望する位置のマイクロタービンＷのオブリーク画像Ｂ、Ｃやダブルオブリーク画像Ｄを得ている。
【特許文献１】特開２００２−１９１５９３号公報
【特許文献２】特開平９−２２０２１０号公報
【発明の開示】
【発明が解決しようとする課題】
【０００９】
ところで、上述したようなＸ線ＣＴ装置により画像表示されたモニタ画像では、水平断層画像Ａ上に画像表示されているオブリークラインａ、ｂによって、操作者は、水平断層像上での２枚の縦断層像の位置を直感的に知ることができるが、逆に、水平断層像が２枚の縦断層像上のどの位置であるかを知るには、スライス位置番号変更スライドバーＥで指定したスライス位置番号から連想しなくてはならなかった。例えば、スライス位置番号が、一番下から順番に５１２まで付与されている場合に、スライス位置番号２５６が指定されているときには、縦断層像の１／２の高さの位置であると連想していた。つまり、水平断層像が、縦断層像に対してどの位置にあたるのかが直感的かつ正確にわかりづらかった。
そこで、本発明は、縦断層像上での水平断層像の位置を直感的かつ正確に知ることができるＸ線ＣＴ装置を提供することを目的とする。
【課題を解決するための手段】
【００１０】
上記課題を解決するためになされた本発明のＸ線ＣＴ装置は、被検査物の透視Ｘ線像を撮影するＸ線検出器と当該Ｘ線検出器に向けて透視用Ｘ線を照射するＸ線源とを有するＸ線測定光学系と、Ｘ線源とＸ線検出器との間に配置され、前記被検査物を載置するための水平面を有するとともに、当該水平面に直交する回転軸を中心として回転移動が可能なターンテーブルと、前記ターンテーブルを回転移動させつつ被検査物の透視Ｘ線像を撮影することにより、前記被検査物のＸ線透過データを記憶部に記憶させるＣＴ撮影を実行するＣＴ撮影実行部と、前記記憶部に記憶されたＸ線透過データを用いて、前記水平面と平行な複数の水平断層像を再構成して、前記被検査物のＣＴ断層像データを記憶部に記憶させる再構成処理演算部と、画像表示が行われる表示器と、前記記憶部に記憶されたＣＴ断層像データを用いて、前記水平面と平行な被検査物の水平断層像を水平断層画像として表示器に画像表示する水平断層像表示制御部と、前記記憶部に記憶されたＣＴ断層像データを用いて、前記水平断層像と垂直な縦断層像を縦断層画像として表示器に画像表示する縦断層像表示制御部とを備えるＸ線ＣＴ装置であって、前記縦断層画像中に水平断層像の位置を示す水平直線画像を重畳して画像表示する水平直線画像表示制御部を備えるようにしている。
【００１１】
ここで、「水平断層像」とは、ＣＴ撮影を実行した際に収集されたＸ線透過データを用いて、まず初めに再構成することにより得られた水平面と平行な複数の断層像のうちの一つをいう。よって、水平断層像表示制御部により表示器に画像表示させるときには、再構成する演算なしに、水平断層画像として画像表示させることができるものである。これに対して、「縦断層像」や後述する「ＷＯ断層像」を縦断層像表示制御部等により表示器に画像表示させるときには、初めに再構成した水平断層像と異なる方向となるので、再構成する演算を再び行い、縦断層画像やＷＯ断層画像として画像表示させることになる。つまり、画像表示させるときには演算時間を必要とする。
【００１２】
本発明のＸ線ＣＴ装置によれば、水平面と平行であり、かつ、その直交する方向に微小間隔をあけて連続した複数の水平断層像を得て、これらの水平断層像を元に、そのいずれかの水平断層像を表示器に水平断層画像として画像表示させる。次に、水平断層画像上で、水平断層像に垂直に被検査物を切断したときの縦断層像を表示器に縦断層画像として再構成して画像表示させる。このとき、水平直線画像表示制御部は、縦断層画像中に水平断層像の位置を示す水平直線画像を重畳して画像表示する。
【発明の効果】
【００１３】
以上のように、本発明のＸ線ＣＴ装置によれば、縦断層画像上に画像表示されている水平直線画像によって、操作者は、縦断層像上での水平断層像の位置を直感的かつ正確に知ることができる。その結果、内部欠陥や内部構造等を非破壊のもとに検査することが容易になる。
【００１４】
（その他の課題を解決するための手段および効果）
また、上記発明において、前記縦断層像表示制御部は、前記水平断層像と垂直な複数の縦断層像を縦断層画像として画像表示し、前記水平直線画像表示制御部は、全ての縦断層画像中に水平断層像の位置を示す水平直線画像を重畳して画像表示するようにすればよい。
これによれば、複数の縦断層画像上に画像表示されている水平直線画像によって、操作者は、複数の縦断層像上での水平断層像の位置を直感的かつ正確に知ることができる。
【００１５】
そして、上記発明において、前記縦断層画像中に画像表示された水平直線画像の位置を変更するために入力操作される入力装置を備え、前記水平断層像表示制御部は、さらに、前記縦断層画像中に画像表示された水平直線画像の位置が変更されることにより、前記水平直線画像の位置の変更に連動して更新するように、前記水平直線画像の位置に対応する水平断層像を水平断層画像として画像表示するようにしてもよい。
これによれば、操作者は、所望する位置の被検査物の水平断層像に対応する縦断層画像上の位置に水平直線画像を画像表示させることにより、所望する位置の水平断層画像を画像表示させることができる。このとき、水平断層像表示制御部は、初めに再構成した水平断層像と同じ方向となるので、再構成する演算なしに、水平断層画像を画像表示することができる。
【００１６】
さらに、上記発明において、前記水平断層画像中に縦断層像の位置を示す縦直線画像を重畳して画像表示する縦直線画像表示制御部を備え、前記入力装置は、さらに、前記水平断層画像中に画像表示された縦直線画像の位置を変更するために入力操作され、前記縦断層像表示制御部は、さらに、前記水平断層画像中に画像表示された縦直線画像の位置が変更されることにより、前記縦直線画像の位置の変更に連動して更新するように、前記縦直線画像の位置に対応する縦断層像を縦断層画像として画像表示するようにしてもよい。
これによれば、操作者は、所望する位置の被検査物の縦断層像に対応する水平断層画像上の位置に縦直線画像を画像表示させることにより、所望する位置の縦断層画像を画像表示させることができる。このとき、縦断層像表示制御部は、初めに再構成した水平断層像と異なる方向となるので、再構成する演算を行い、縦断層画像を画像表示することになる。
【発明を実施するための最良の形態】
【００１７】
以下、本発明の実施形態について図面を用いて説明する。なお、本発明は、以下の実施形態に限定されるものではなく、本発明の趣旨を逸脱しない範囲で種々の態様が含まれることはいうまでもない。
【００１８】
図１は、本発明の一実施形態であるＸ線ＣＴ装置の構成を示すブロック図である。Ｘ線ＣＴ装置１は、Ｘ線源１１とＸ線検出器１２とを有するＸ線測定光学系１３と、被検査物Ｗを載置するターンテーブル１４と、Ｘ線ＣＴ装置１全体の制御を行う制御系（コンピュータ）２０とにより構成される。
【００１９】
Ｘ線ＣＴ装置１では、図１に示すように、直交する三方向（Ｘ方向、Ｙ方向、Ｚ方向）を定めている。具体的には、ターンテーブル１４の被検査物Ｗが載置される面に垂直な方向をＺ方向と定めている。さらに、Ｚ方向と直交する方向をＸ方向と定め、Ｚ方向及びＸ方向と直交する方向をＹ方向と定めている。したがって、被検査物Ｗが載置されるターンテーブル１４のＸＹ平面が、水平面となる。
【００２０】
Ｘ線源１１は、Ｘ線検出器１２に向けて透視用Ｘ線を照射するＸ線管を有する。なお、Ｘ線源１１とＸ線検出器１２の検出面中心とを結んだＸ線光軸が、上述したＸ方向となるように、Ｘ線源１１とＸ線検出器１２とが配置されている。
Ｘ線検出器１２には、イメージインテンシファイア（以下、ＩＩと略す）とＣＣＤカメラとを組み合わせたものが用いられている。ＩＩが透視用Ｘ線を検出することにより透視像を形成する。この透視像をＣＣＤカメラが撮影することによって、透視用Ｘ線の映像信号（Ｘ線透過データ）がコンピュータ２０に出力される。
【００２１】
ターンテーブル１４は水平面（ＸＹ平面）を有し、水平面上に被検査物Ｗが載置されるようにしてある。そして、ターンテーブル１４は、Ｚ方向の回転軸で回転可能となるようにしてあり、載置された被検査物Ｗを、この回転軸を中心に回転させることができる。これにより、ＣＴ撮像時には、回転軸を中心に回転させながら撮像することにより、さまざまな方向からのＸ線透過データを取得することができるようになる。
【００２２】
コンピュータ２０においては、ＣＰＵ２１を備え、さらに、メモリ（記憶部）２５と、モニタ画面２３ａ等を有する表示器２３と、入力装置２２である操作パネル２２ａやマウス２２ｂ（及びキーボード）とをハードウェアとして備える。
また、ＣＰＵ２１が処理する機能をブロック化して説明すると、水平直線画像表示制御部３１と、縦直線画像表示制御部３２と、ＷＯ直線画像表示制御部３３と、ＣＴ撮影実行部３４と、再構成処理演算部３５と、スライス位置表示制御部３６と、水平断層像表示制御部３７と、縦断層像表示制御部３８と、ＷＯ断層像表示制御部３９とを有する。また、メモリ２５は、Ｘ線透過データを記憶するＸ線透過データ記憶領域４１と、ＣＴ断層像データを記憶するＣＴ断層像データ記憶領域４３とを有する。
【００２３】
ここで、Ｘ線ＣＴ装置１により画像表示されるモニタ画像について説明する。図２は、Ｘ線ＣＴ装置１により画像表示されたモニタ画像の一例である。なお、図２は、図３の外観斜視図に示すマイクロタービンＷをＸ線ＣＴ装置１により画像表示したものである。そして、上述した図４と同様のものについては、同じ符号を付け、その説明を省略する。
Ｘ線ＣＴ装置１では、上述した従来のＸ線ＣＴ装置と異なり、オブリーク画像（縦断層画像）Ｂ、Ｃ中に水平断層像の位置を示す水平直線画像（以下、「スライスライン」ともいう）ｄ、ｅが重畳されて画像表示されている。
【００２４】
ＣＴ撮影実行部３４は、予め設定された微小回転角度ごとにマイクロタービンＷの透視Ｘ線像を順次撮影して、マイクロタービンＷのＸ線透過データをＸ線透過データ記憶領域４１に記憶させる制御を行うものである。
再構成処理演算部３５は、Ｘ線透過データ記憶領域４１に記憶されたＸ線透過データを用いて、複数の水平断層像を再構成して、マイクロタービンＷのＣＴ断層像データをＣＴ断層像データ記憶領域４３に記憶させる制御を行うものである。このとき、再構成処理演算部３５は、一番下の水平断層像を１とするとともに、一番上の水平断層像を５１２とするように順番に、各水平断層像に一つのスライス位置番号を付与して、ＣＴ断層像データを記憶させることになる。
【００２５】
スライス位置表示制御部３６は、モニタ画面２３ａの最下部にスライス位置番号変更スライドバーＥを画像表示する制御を行うものである。
具体的には、図２に示すように、スライス位置番号変更スライドバーＥは、スライス位置番号と対応させた横方向に伸びる直線上に長方形画像が重畳されて画像表示されたものである。これにより、操作者は、画像表示させる水平断層画像Ａとして任意の位置を選択することができ、長方形画像を画像表示させる位置を変更することにより、長方形画像の位置（スライス位置番号）の変更に連動して更新するように、長方形画像の位置（スライス位置番号）に対応する水平断層像を水平断層画像Ａとして画像表示させることができるようになる。
【００２６】
水平断層像表示制御部３７は、ＣＴ断層像データ記憶領域４３に記憶されたＣＴ断層像データを用いて、スライス位置番号変更スライドバーＥでスライス位置番号が指定されることにより、スライス位置番号の変更に連動して更新するように、スライス位置番号に対応する水平断層像を、あるいは、後述するようにオブリーク画像（縦断層画像）Ｂ、Ｃ中に画像表示されたスライスラインｄ、ｅの位置が変更されることにより、スライスラインｄ、ｅの位置の変更に連動して更新するように、スライスラインｄ、ｅの位置に対応する水平断層像を、モニタ画面２３ａの左上部に水平断層画像Ａとして画像表示する制御を行うものである。
このとき、水平断層像表示制御部３７は、初めに再構成した水平断層像と同じ方向となるので、再構成する演算なしに、水平断層画像Ａを画像表示することができる。
【００２７】
縦断層像表示制御部３８は、後述するように水平断層画像Ａ中に画像表示されたオブリークライン（縦直線画像）ａ、ｂの位置が変更されることにより、オブリークラインａ、ｂの位置の変更に連動して更新するように、オブリークラインａ、ｂの位置に対応する縦断層像をオブリーク画像Ｂ、Ｃとして画像表示する制御を行うものである。
このとき、縦断層像表示制御部３８は、初めに再構成した水平断層像と異なる方向となるので、再構成する演算を行い、オブリーク画像Ｂ、Ｃを画像表示することになる。
また、このように、お互いに直交するオブリーク画像Ｂ、Ｃどうしを画像表示することが好ましいが、直交関係にない２つのオブリーク画像でもよい。また、２つのオブリーク画像ではなく、１つのオブリーク画像、あるいは、３つ以上のオブリーク画像を画像表示してもよい。
【００２８】
ＷＯ断層像表示制御部３９は、後述するようにオブリーク画像Ｂ、Ｃ中に画像表示されたダブルオブリークライン（ＷＯ直線画像）ｃの位置が変更されることにより、ダブルオブリークラインｃの位置の変更に連動して更新するように、ダブルオブリークラインｃの位置に対応するＷＯ断層像をダブルオブリーク画像Ｄとして画像表示する制御を行うものである。
このとき、ＷＯ断層像表示制御部３９は、初めに再構成した水平断層像と異なる方向となるので、再構成する演算を行い、ダブルオブリーク画像Ｄを画像表示することになる。
【００２９】
水平直線画像表示制御部３１は、オブリーク画像Ｂ、Ｃ中に水平断層像の位置を示すスライスラインｄ、ｅを重畳して画像表示する制御を行うものである。
具体的には、図２に示すように、オブリーク画像Ｂ中に、水平断層像の位置を示すスライスラインｄを、左から右に一直線に伸びるように画像表示するとともに、オブリーク画像Ｃ中に、水平断層像の位置を示すスライスラインｅが、上から下に一直線に伸びるように画像表示している。そして、操作者が、スライスラインｄ、ｅの位置を入力操作により指定しなおすと、水平断層像表示制御部３７は、スライスラインｄ、ｅの位置の変更に連動して更新するように、スライスラインｄ、ｅの位置に対応する水平断層像を水平断層画像Ａとして画像表示させることになる。
なお、スライスラインｄ、ｅの位置の変更によって表示される水平断層像を変更する操作は、上述のスライス位置番号変更スライドバーＥを使用した水平断層像を変更する操作と一部が重複するので、本発明装置ではスライス位置番号変更スライドバーＥはなくてもよい。
【００３０】
縦直線画像表示制御部３２は、水平断層画像Ａ中に縦断層像の位置を示すオブリークラインａ、ｂを重畳して画像表示する制御を行うものである。
具体的には、図２に示すように、水平断層画像Ａ中に、オブリーク画像Ｂに対応する縦断層像の位置を示すオブリークラインａを、左下から右上に一直線に伸びるように画像表示するとともに、オブリーク画像Ｃに対応する縦断層像の位置を示すオブリークラインｂを、左上から右下に一直線に伸びるように画像表示している。そして、操作者が、オブリークラインａ、ｂの位置を入力操作により指定しなおすと、縦断層像表示制御部３８は、オブリークラインａ、ｂの位置の変更に連動して更新するように、オブリークラインａ、ｂの位置に対応する縦断層像をオブリーク画像Ｂ、Ｃとして画像表示させることになる。
【００３１】
ＷＯ直線画像表示制御部３３は、オブリーク画像Ｂ又はオブリーク画像Ｃ中にＷＯ断層像の位置を示すダブルオブリークラインｃを重畳して画像表示する制御を行うものである。
具体的には、図２に示すように、オブリーク画像Ｂ中に、ＷＯ断層像の位置を示すダブルオブリークラインｃを、左上から右下に一直線に伸びるように画像表示している。そして、操作者が、オブリーク画像Ｂ又はオブリーク画像Ｃ中にダブルオブリークラインｃの位置を入力操作により指定しなおすと、ＷＯ断層像表示制御部３９は、ダブルオブリークラインｃの位置の変更に連動して更新するように、ダブルオブリークラインｃの位置に対応するＷＯ断層像をダブルオブリーク画像Ｄとして画像表示させることになる。
【００３２】
以上のように、Ｘ線ＣＴ装置１によれば、オブリーク画像Ｂ、Ｃ上に画像表示されているスライスラインｄ、ｅによって、操作者は、縦断層像上での水平断層像の位置を直感的かつ正確に知ることができる。
また、操作者は、マイクロタービンＷの水平断層像に対応するオブリーク画像Ｂ、Ｃ上の所望する位置にスライスラインｄ、ｅを移動して画像表示させることにより、所望する位置の水平断層画像Ａを画像表示させることができる。
そして、操作者は、マイクロタービンＷの縦断層像に対応する水平断層画像Ａ上の所望する位置にオブリークラインａ、ｂを移動して画像表示させることにより、所望する位置のオブリーク画像Ｂ、Ｃを画像表示させることができる。
さらに、操作者は、マイクロタービンＷのＷＯ断層像に対応するオブリーク画像Ｂ、Ｃ上の所望する位置にダブルオブリークラインｃを移動して画像表示させることにより、所望する位置のダブルオブリーク画像Ｄを画像表示させることができる。
なお、上述したラインａ〜ｅの移動操作としては、例えば、ラインをマウスにより所望する位置にドラッグして移動する方法を採用することができる。
【産業上の利用可能性】
【００３３】
本発明は、電子部品等の工業製品の内部欠陥や内部構造等を非破壊のもとに調査すべく、その断層画像を得るための産業用のＸ線ＣＴ装置に利用することができる。
【図面の簡単な説明】
【００３４】
【図１】本発明の一実施形態であるＸ線ＣＴ装置の構成を示すブロック図である。
【図２】本発明のＸ線ＣＴ装置による表示器のモニタ画面に画像表示された画像の一例を示す図である。
【図３】マイクロタービンの斜視図である。
【図４】従来のＸ線ＣＴ装置による表示器のモニタ画面に画像表示された画像の一例を示す図である。
【符号の説明】
【００３５】
１：  Ｘ線ＣＴ装置
１１：  Ｘ線源
１２：  Ｘ線検出器
１３：  Ｘ線測定光学系
１４：  ターンテーブル
２０：  制御系（コンピュータ）
２１：  ＣＰＵ
２２：  入力装置
２３：  表示器
２５：  メモリ（記憶部）
３１：  水平直線画像表示制御部
３４：  ＣＴ撮影実行部
３５：  再構成処理演算部
３７：  水平断層像表示制御部
３８：  縦断層像表示制御部
４１：  Ｘ線透過データ記憶領域
Ｗ：  マイクロタービン（被検査物）
【図１】
2008304422.tif 000003
【図２】
2008304422.tif 000004
【図３】
2008304422.tif 000005
【図４】
2008304422.tif 000006